(57)【要約】      （修正有）【課題】エアトラップの閉塞あるは故障に伴って生じる熱交換器の性能低下を抑制できるドレン分離排出システムを提供する。【解決手段】熱交換器２内で生じた凝縮水を分離排出するドレン分離排出装置１であって、ドレンセパレータ３と、ドレンセパレータ３の上部に設置されるドレン入口３ａと、ドレン入口３ａよりも下方であって、かつドレンセパレータ３の下部に設置される第１ドレン出口３ｂと、第１ドレン出口３ｂよりも上方であって、かつドレン入口３ａよりも下方に設置される第２ドレン出口３ｃと、第１ドレン出口３ｂに接続される第１エアトラップ３２と、第２ドレン出口３ｃに接続される第２エアトラップ３４とを備える。【選択図】図１
2018084298.tif 000002
【特許請求の範囲】
【請求項１】
熱交換器内で生じた凝縮水を分離排出するドレン分離排出装置であって、
ドレンセパレータと、
前記ドレンセパレータの上部に設置されるドレン入口と、
前記ドレン入口よりも下方であって、かつ前記ドレンセパレータの底部よりも高い位置である下部に設置される第１ドレン出口と、
前記第１ドレン出口よりも上方であって、かつ前記ドレン入口よりも下方に設置される第２ドレン出口と、
前記第１ドレン出口に接続される第１エアトラップと、
前記第２ドレン出口に接続される第２エアトラップと、を備えるドレン分離排出装置。
【請求項２】
前記ドレン入口よりも高い位置に設置される液面検出部をさらに備える請求項１に記載のドレン分離排出装置。
【請求項３】
前記液面検出部が警告である旨を検出する水面高さが、熱交換器の伝熱管の高さよりも相対的に低く、および
前記ドレン入口の高さが、前記液面検出部が警告である旨を検出する水面高さより相対的に低く、かつ熱交換器内底部よりも相対的に高い、請求項２に記載のドレン分離排出装置。
【請求項４】
前記ドレン入口の高さが、熱交換器の伝熱管の高さよりも相対的に低く、かつ熱交換器内底部よりも相対的に高い、請求項１に記載のドレン分離排出装置。
【請求項５】
熱交換器内で生じた凝縮水を分離排出するドレン分離排出システムであって、
熱交換器と、
請求項１〜４のいずれか１項に記載のドレン分離排出装置と、
前記ドレン分離排出装置を構成するドレンセパレータの上部と前記熱交換器の圧縮空気配管とを接続する均圧管と、
前記ドレンセパレータのドレン入口と前記熱交換器の底部とを接続するドレン配管と、を備えるシステム。
【請求項６】
前記ドレン配管が、Ｕ字形状を有する、請求項５に記載のシステム。
【請求項７】
異物を含む排水を排出処理する排水分離装置であって、
セパレータと、
前記セパレータの上部に設置される排水入口と、
前記排水入口よりも下方であって、かつ前記セパレータの底部よりも高い位置である下部に設置される第１排出口と、
前記第１排出口よりも上方であって、かつ前記排水入口よりも下方に設置される第２排出口と、
前記第１排出口に接続される第１エアトラップと、
前記第２排出口に接続される第２エアトラップと、を備える。
【発明の詳細な説明】
【技術分野】
【０００１】
本発明は、異物を含む排水を排出処理する排水分離装置に関する。また、本発明は、空気分離装置における熱交換器と接続されるドレン分離排出装置に関する。
【背景技術】
【０００２】
従来から知られている空気分離装置は、原料空気を昇圧する原料空気圧縮機と、この原料空気圧縮機に一体的に組み込まれた熱交換器を備えている。この熱交換器で冷却された圧縮原料空気を精製、精留することにより、液化窒素、液化酸素等が製造される。
【０００３】
圧縮空気が熱交換器で冷却されることにより凝縮水（ドレン）が発生する（例えば、特許文献１参照）。凝縮水（ドレン）は、熱交換器底部に取り付けられたドレンノズルから排出される。このドレンノズルにエアトラップが取り付けられており、エアトラップ内に溜まった凝縮水が排出される構成が一般的である。
【０００４】
エアトラップとして、フリーフロート式のフロ―ト弁がある。その基本的構成は、例えば特公昭５９−３２７１８号公報に示されている（特許文献２参照）。
【先行技術文献】
【特許文献】
【０００５】
【特許文献１】特開２００４−１０８６５３号公報
【特許文献２】特公昭５９−３２７１８号公報
【発明の概要】
【発明が解決しようとする課題】
【０００６】
エアトラップのフロート弁は、入口から流入した凝縮水（ドレン）が溜り室に蓄積すると、溜り室内のフロートが浮上し、凝縮水（ドレン）の水位により弁座開度を調整して凝縮水（ドレン）を出口から排出する構造となっている。しかし、凝縮水（ドレン）には原料空気中の異物や、圧縮機または熱交換器内の錆が混入していることがある。これらの異物や錆の混入によって、エアトラップ内の流路が閉塞し、あるいはフロートの動作が妨げられたりして、エアトラップが故障する原因となっていた。
【０００７】
エアトラップが故障すると、凝縮水（ドレン）を排出できなくなる。その結果、熱交換器内の凝縮水（ドレン）の液面が上昇し、熱交換器内における空気の圧縮や空気の冷却性能に影響がでて、さらには、空気分離装置全体が停止することになる。
【０００８】
そのため、エアトラップの故障による空気分離装置の運転への影響を低減する有効なドレン分離システムの開発が強く望まれている。
【０００９】
本発明の目的は、上記実情に鑑み、エアトラップの閉塞あるは故障に伴って生じる熱交換器の性能低下を抑制できるドレン分離排出システムを提供することにある。また、本発明は、異物に起因するエアトラップの不具合が生じても排水を効果的に排出できる排水分離装置を提供する。
【課題を解決するための手段】
【００１０】
本発明は、以下の態様または適用例として実現することができる。
【００１１】
本発明は、異物を含む排水を排出処理する排水分離装置であって、
セパレータと、
前記セパレータの上部に設置される排水入口と、
前記排水入口よりも下方であって、かつ前記セパレータの底部よりも高い位置である下部に設置される第１排出口と、
前記第１排出口よりも上方であって、かつ前記排水入口よりも下方に設置される第２排出口と、
前記第１排出口に接続される第１エアトラップと、
前記第２排出口に接続される第２エアトラップと、を備える。
【００１２】
また、本発明は、熱交換器内で生じた凝縮水を分離排出するドレン分離排出装置であって、
ドレンセパレータと、
前記ドレンセパレータの上部に設置されるドレン入口と、
前記ドレン入口よりも下方であって、かつ前記ドレンセパレータの底部よりも高い位置である下部に設置される第１ドレン出口と、
前記第１ドレン出口よりも上方であって、かつ前記ドレン入口よりも下方に設置される第２ドレン出口と、
前記第１ドレン出口に接続される第１エアトラップと、
前記第２ドレン出口に接続される第２エアトラップと、を備える。
上記排水分離装置における構成と以下の通り対応する構成である。
ドレンセパレータはセパレータ、ドレン入口は排水入口、第１ドレン出口は第１排出口、第２ドレン出口は第２排出口にそれぞれ対応する。
【００１３】
本発明において、前記ドレン入口よりも高い位置に設置される液面検出部をさらに備えていてもよい。
上記実施形態において、前記液面検出部が警告である旨を検出する水面高さが、熱交換器の伝熱管（例えば、チューブネスト）の高さよりも相対的に低く構成し、および
前記ドレン入口の高さが、前記液面検出部が警告である旨を検出する水面高さより相対的に低く、かつ熱交換器内底部よりも相対的に高く構成してもよい。
【００１４】
本発明において、前記ドレン入口の高さが、熱交換器の伝熱管（例えば、チューブネスト）の高さよりも相対的に低く、かつ熱交換器内底部よりも相対的に高く構成してもよい。
【００１５】
他の本発明は、熱交換器内で生じた凝縮水を分離排出するドレン分離排出システムであって、
熱交換器と、
上記のドレン分離排出装置と、
前記ドレン分離排出装置を構成するドレンセパレータの上部と前記熱交換器の圧縮空気配管とを接続する均圧管と、
前記ドレンセパレータのドレン入口と前記熱交換器の底部とを接続するドレン配管と、を備える。
【００１６】
また、前記第２ドレン出口よりも上方であって、かつ前記ドレン入口よりも下方に設置される第３ドレン出口と、前記第３ドレン出口に接続される第３エアトラップとをさらに備えていてもよい。
また、前記第３ドレン出口よりも上方であって、かつ前記ドレン入口よりも下方に設置される第４ドレン出口と、前記第４ドレン出口に接続される第４エアトラップとをさらに備えていてもよい。
すなわち、ドレンセパレータの側面の縦方向に２以上のドレン出口とそのドレン出口のそれぞれに接続されるエアトラップを備える構成であってよい。
【００１７】
本発明によれば、熱交換器内で発生した凝縮水（ドレン）が、ドレン配管によりドレン分離排出装置のドレンセパレータに導入される。ドレンセパレータ内の凝縮水（ドレン）が、ドレンセパレータにその縦方向に設置された少なくとも２つのエアトラップのうち、最下段に設置された第１エアトラップの高さの水位となるまで溜まると、第１エアトラップから排出される。ここで、ドレン中の異物や錆により第１エアトラップが閉塞等の動作不良を起こした場合、ドレンが排出されなくなる。その場合には、ドレンセパレータ内のドレン水位が上昇し、第１エアトラップの上部に設置された第２エアトラップの高さまで水位が上昇すると、第２エアトラップから、ドレンを排出させることができる。さらに、第２エアトラップが閉塞した場合には、必要に応じて第２エアトラップの上部に設置された第３エアトラップから排出させるように構成できる。すなわち、エアトラップの閉塞によるドレン排出が機能しなくなることで生じる熱交換器の性能低下を抑制でき、空気圧縮機を正常に運転させられ、さらに、空気の冷却性能に影響を与えることを抑制できるので空気分離装置全体が停止することを防止できる。
【００１８】
また、最下段の第１エアトラップ以外のエアトラップからのドレン排出の有無を目視確認することにより、ドレンが排出されているエアトラップよりも下方に設置されたエアトラップの故障の有無を検知することができる。
目視ではなく、エアトラップが故障または閉塞したことを自動的に検出する検出手段を有していてもよい。検出手段は、エアトラップから排出されるドレンの流れを検出する流量センサであってもよい。
以上の構成によれば、定期点検時に動作不良のあるエアトラップを判別することが容易になり、動作不良のエアトラップに対し効率的に補修作業を行うことができる。全てのエアトラップについて洗浄や交換を行うことなく、故障したエアトラップのみを洗浄または交換すればよいためである。
【００１９】
また、前記液面検出部は、例えば、レベルセンサー、レベルスイッチまたは差圧計が挙げられる。
【００２０】
最上部のエアトラップの上部には、ドレンセパレータ内のドレン水位が所定の位置に到達したことを検出するための液面検出部を設置する。ドレンセパレータ内のドレン水位が、最上部のエアトラップ設置高さよりも高くなる現象は、全てのエアトラップが閉塞等によりドレン排出ができなくなった場合に生じる。このため、ドレン水位を液面検出部（例えば、レベルセンサー、レベルスイッチ、差圧計等）で検出することにより、ドレンセパレータに設置された全エアトラップが故障した場合の警報を発することができる。ドレン分離排出装置は、例えば、液面検出器から送られた所定高さを検出した旨の検知信号に基づいて警報を発する警報手段（例えば、スピーカなど）を有していてもよい。
【００２１】
例えば、レベルスイッチを用いた場合には、水位が所定の高さ以上となった場合に警報を発し、エアトラップのメンテナンスが必要であることを示すことができる。警報を発した後、エアトラップのメンテナンスが完了するまでには一定の時間を要する。このため、ドレンセパレータの内容積のうち、前記所定の高さ以上となる部分の容積が、メンテナンス中の水位上昇に対応できる構成に設定することが好ましい。メンテナンス実績および／またはメンテナンス作業時間の予測に基づいて、ドレンセパレータの内容積、エアトラップの取り付け高さを設定してもよい。
また、レベルセンサーまたは差圧計を用いて水位をモニターする場合には、警報の発報だけでなく、警報発報前の水位上昇速度を確認することができるため、エアトラップのメンテナンス時期を事前に予測できる。すなわち、ドレン分離排出装置は、例えば、レベルセンサーまたは差圧計で求められた水位のモニター結果に基づいて、エアトラップのメンテナンスタイミングを通知する通知手段（例えば、スピーカなど）を有していてもよい。
【００２２】
また、前記ドレン配管の出口側に閉塞防止機構を備えていてもよい。閉塞防止機構は、Ｕ字型の配管であってもよい。閉塞防止機構により、熱交換器側から流入するドレンに異物が混入していた場合であっても、その異物に起因するドレン配管の閉塞を防止することができる。
【００２３】
本発明において、前記ドレン配管が、Ｕ字形状を有していてもよい。
熱交換器からドレンをドレンセパレータに導出するドレン配管はＵ字型に施工されることが好ましい。熱交換器内のドレンには錆など異物が混入していることが多い。ドレン配管をＵ字型にすることで、異物をＵ字型ドレン配管内に残し、上澄みだけをドレンセパレータに導入することができる。これにより、エアトラップの閉塞等のトラブルを抑制することができる。
前記Ｕ字型のドレン配管のドレンセパレータ側の接続高さは、熱交換器内の伝熱管（例えば、チューブネスト）底部の高さよりも低く、かつ、熱交換器内底部よりも高い位置にすることがさらに望ましい。ドレン配管のドレンセパレータ側の接続高さを熱交換器内底部よりも高くすることにより、熱交換器内のドレン水位と、ドレン配管のドレンセパレータ側の接続高さとが均一となる。すなわち、熱交換器内のドレン水位をドレン配管のドレンセパレータ側の接続高さに制御することができる。
さらに、ドレン配管のドレンセパレータ側の接続高さを熱交換器内の伝熱管（例えば、チューブネスト）底部の高さよりも低くすることにより、熱交換器内の水位が伝熱管（例えば、チューブネスト）底部よりも低くなるように調整することができる。これにより熱交換器内のドレン水位が上昇し伝熱管（例えば、チューブネスト）とドレンが接触することに起因する熱交換器の冷却性能低下を防止することができる。
【００２４】
また、上記ドレンセパレータ底部に、ドレンセパレータ内に蓄積した異物を排出する排出口を備えていてもよい。ドレン分離排出装置の定期点検時には上記排出口に設置されたバルブ（異物排出弁）を開け、ドレンセパレータ内の異物を容易に除去することができる。
【００２５】
また、液面検出部が、全エアトラップの故障を検出する水位は、全エアトラップの設置位置よりも高く、かつ、熱交換器内の伝熱管（例えば、チューブネスト）底部（伝熱管の最下点）の高さよりも低く設定してもよい。全エアトラップ設置位置よりもドレンセパレータ内のドレン水位が高いことを検知したときは、エアトラップ全てが閉塞し、エアトラップからのドレン排出ができなくなっていることを示しているため、この液面検出部の検出結果に基づいて、全エアトラップの故障の検出と判断することができる。
また、ドレンセパレータ内の水位は、熱交換器内の水位よりも高くなることはない。そこでドレンセパレータ内の液面検出部において検出する水位を、熱交換器内の伝熱管底部の高さよりも低く設定することで、全エアトラップが閉塞した場合であっても、熱交換器内のドレンが伝熱管の最下点に接触する前に水位上昇を検出する構成とできる。
【図面の簡単な説明】
【００２６】
【図１】実施形態１に係るドレン分離搬出システムである。
【図２】実施形態２に係るドレン分離搬出システムである。
【発明を実施するための形態】
【００２７】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお、以下で説明される構成の全てが本発明の必須の構成であるとは限らない。
【００２８】
（実施形態１）
図１に示すドレン分離排出システム１００は、空気分離装置（不図示）に接続された熱交換器２と、熱交換器２に接続されるドレン排出分離装置１を備える。
【００２９】
熱交換器２は、その内部にチューブネスト２１が配置される。熱交換器２内を流通する圧縮空気がチューブネスト２１と接触することで、熱交換が行われ、熱交換器２内の底部に凝縮水Ｗ１が徐々に溜まってくる。
熱交換器２内の底部と接続されている配管Ｌ１が、ドレンセパレータ３の上部側壁のドレン入口３ａへ導入される。配管Ｌ１には仕切り弁が設けられているが、別実施形態としてはなくてもよい。
配管Ｌ１の先端Ｔは、その拡大図からの分かるように、その先端Ｔが、側面視で地面側が鈍角で天井側が鋭角になるように斜め形状（例えば、３０〜６０°の角度で切断した形状）にして断面積を大きくし、断面を下方向に向ける。配管Ｌ１の先端Ｔをこのような形状にすることで、熱交換器２から流れて来たドレン内に含まれている異物によって配管Ｌ１の先端Ｔ側が閉塞しないように構成する。
【００３０】
ドレン排出分離装置１は、ドレンセパレータ３と、ドレンセパレータ３の上部に設置されるドレン入口３ａと、ドレン入口３ａよりも下方であって、かつドレンセパレータ３の底部よりも高い位置である下部に設置される第１ドレン出口３ｂと、第１ドレン出口３ｂよりも上方であって、かつドレン入口３ａよりも下方に第２ドレン出口３ｃと、第１ドレン出口３ｂに接続される第１エアトラップ３２と、第２ドレン出口３ｃに接続される第２エアトラップ３４とを備える。
本実施形態において、第１ドレン出口３ｂに第１出口配管Ｌ２が接続され、第１出口配管Ｌ２に、仕切弁と第１エアトラップ３２が介在し、排水溝５０へドレンを排出する。
また、第２ドレン出口３ｃに第２出口配管Ｌ３が接続され、第２出口配管Ｌ３に、仕切弁と第２エアトラップ３４が介在し、排水溝５０へドレンを排出する。
【００３１】
また、ドレンセパレータ３には、ドレン入口３ａよりも高い位置に液面検出部３５が設置される。本実施形態１において、液面検出部はレベルスイッチ３５で構成されている。
【００３２】
また、ドレンセパレータ３の底部の異物排出口３ｄに異物排出配管Ｌ５が排出弁３７を設けて接続されている。これにより、ドレン分離排出装置１の定期点検時に、この排出弁３７を開けることで、ドレンセパレータ３の底部に溜まった異物を容易に除去することができる。
【００３３】
また、ドレンセパレータ３の上部と接続される均圧管Ｌ４は、仕切り弁を介在させて熱交換器３の圧縮空気出口配管Ｌ６と接続される。均圧管はドレンセパレータ３と熱交換器２内の圧力を均一にするために設けられる。なお、ここで仕切り弁はあってもなくてもよい。
【００３４】
実施形態１によれば、熱交換器２内で発生したドレンＷ１を、ドレン配管Ｌ１によりドレン分離排出装置１のドレンセパレータ３に導入する。エアトラップに流入するドレンＷ２には原料空気中に含まれていた異物や、圧縮空気貯槽、ドレンセパレータ３等から発生した錆などが混入している。このためエアトラップは異物や錆によるドレン流路閉塞に伴う動作不良を起こしやすく、エアトラップが閉塞してドレンＷ２を排出できなくなる現象が発生する。
【００３５】
ドレンセパレータ３内のドレンＷ２の水位（ｈ２）が、第１エアトラップ３２の高さになると、凝縮水Ｗ２が第１エアトラップ３２から排出される。ここで、第１ドレン出口３ｂがドレンセパレータ３底部よりも高い位置にあることで、異物や錆の混入が少ないドレンの上澄みを第１ドレン出口３ｂから流入させ、第１エアトラップ３２の閉塞等の動作不良を低減させることができる。
【００３６】
ドレン中の異物や錆により第１エアトラップ３２が閉塞等の動作不良を起こした場合、ドレンＷ２が排出されなくなる。その場合には、ドレンセパレータ３内のドレン水位（ｈ２）が上昇し、第１エアトラップ３２の上部に設置された第２エアトラップ３４の高さにまで上昇すると、第２エアトラップ３４から、ドレンＷ２が排出される。さらに、第２エアトラップ３４が閉塞した場合には、ドレンセパレータ３内のドレン水位（ｈ２）が上昇し、レベルスイッチ３５がドレンＷ２の水位を検出したら、警報を発するように構成する。
【００３７】
また、第１エアトラップ３２が動作不良で機能していないことを自動で検出した場合に、警報を発するように構成してもよい。第１エアトラップ３２の上流側の仕切弁を閉じてメンテナンスを行ってもよい。
【００３８】
（実施形態２）
図２に、実施形態２に係るドレン排出分離システム２００を示す。本形態は熱交換器２の下方にドレンセパレータ３を設置する距離がない場合に有効な配置である。図１と図２で同じ符号は同じ機能を有するため、説明を省略または簡単に説明する。
【００３９】
ドレン配管Ｌ１は、Ｕ字型に構成されている。熱交換器２内のドレンには錆など異物が混入していることが多い。ドレン配管Ｌ１をＵ字型にすることで、異物がＵ字型ドレン配管内に残り、配管を閉塞させる可能性があるため立上がり位置Ｌ１ａから異物を排出する仕組みを有する。Ｕ字型のドレン配管Ｌ１のドレンセパレータ３側の接続高さ（Ｒ３）（「接続高さＲ３」は、ドレン入口３ａの高さを意味する。）は、熱交換器２内のチューブネスト２１底部の高さ（Ｒ１）よりも低く、かつ、熱交換器２内底部の高さ（Ｒ２）よりも高い位置にする。すなわち、ドレン入口３ａの高さは、チューブネスト２１底部の高さ（Ｒ１）より高い位置にしない構成である。
【００４０】
また、熱交換器２とドレンセパレータ３が均圧管Ｌ４で接続される。ドレン配管Ｌ１のドレンセパレータ３側の接続高さ（Ｒ３）は熱交換器２内底部の高さ（Ｒ２）よりも高くする。これにより、ドレン配管Ｌ１のドレンセパレータ３側の接続高さ（Ｒ３）は、熱交換器２内のドレンの水位（ｈ１）と一致する。つまり、熱交換器２内のドレン水位（ｈ１）をドレン配管Ｌ１のドレンセパレータ３側の接続高さ（Ｒ３）に制御することができる。
【００４１】
ドレン配管Ｌ１の異物を排出する仕組みとして、立上がり位置Ｌ１ａに、下方に延びる異物排出用の分岐配管Ｌ１１を設けてあってもよい。分岐配管Ｌ１１には仕切弁が設けられている。この仕切弁を開けることで、ドレン配管Ｌ１および分岐配管Ｌ１１内に蓄積した異物などを定期点検などのメンテナンス時に簡単に取り除くことができる。
【００４２】
ドレン排出分離装置１におけるレベルスイッチ３５は、ドレン水位（ｈ２）を検出する高さ（Ｒ４）が、の熱交換器２内のチューブネスト２１底部の高さ（Ｒ１）よりも低く、かつ、ドレン配管Ｌ１のドレンセパレータ３側の接続高さ（Ｒ３）よりも高い位置にある。これにより、ドレンセパレータ３内のドレンＷ２の水位（ｈ２）の上昇に伴い、熱交換器２内のドレンＷ１の水位が上昇しても、熱交換器２内のドレンＷ１の水位（ｈ１）がチューブネスト２１底部の高さ（Ｒ１）に至るまでに、レベルスイッチ３５が警報を発することができる。
【００４３】
（別実施形態）
上記実施形態１または２において、レベルスイッチを設けていたが、これに限定されず、レベルスイッチまたは差圧計を設けてもよい。
上記実施形態１または２において、エアトラップを２つ縦に設けてあったが、これに限定されず、３つ以上を設置してもよい。
上記実施形態１または２において、ドレン配管Ｌ１の先端Ｔの形状は図１に限定されない。
【００４４】
（実施形態３）
異物を含む排水を排出処理する排水分離装置は、セパレータと、前記セパレータの上部に設置される排水入口と、前記排水入口よりも下方であって、かつ前記セパレータの底部よりも高い位置である下部に設置される第１排出口と、前記第１排出口よりも上方であって、かつ前記排水入口よりも下方に設置される第２排出口と、前記第１排出口に接続される第１エアトラップと、前記第２排出口に接続される第２エアトラップと、を備える。
前記排水入口よりも高い位置に設置される液面検出部をさらに備えていてもよい。
実施形態３の排水分離装置は、実施形態１または２のドレン分離排出装置の構成要素を備えていてもよい。
【符号の説明】
【００４５】
１００  ドレン分離排出システム
１      ドレン分離排出装置
２      熱交換器
２１    チューブネスト
３      ドレンセパレータ
３ａ    ドレン入口
３ｂ    第１ドレン出口
３２    第１エアトラップ
３ｃ    第２ドレン出口
３４    第２エアトラップ
３５    レベルスイッチ
Ｌ１    ドレン配管
Ｌ２    第１出口配管
Ｌ３    第２出口配管
Ｌ４    均圧管
【図１】
2018084298.tif 000003
【図２】
2018084298.tif 000004